(57)【要約】      （修正有）【課題】スマート電球のアンテナにより光線が遮断され影ができる課題を解決する。【解決手段】スマート電球は第一放熱部材１、電球カバー２、口金アセンブリ３、光源板４、駆動板５及びアンテナモジュール６を含む。電球カバーは第一放熱部材の一端に設置され、口金アセンブリは第一放熱部材の他端に設置される。光源板は第一放熱部材内に設置され、かつ第一放熱部材の電球カバーに近い一端にカバーする。駆動板は第一放熱部材内に設置され、かつ口金アセンブリ及び光源板に電気的に接続される。アンテナモジュールは第一放熱部材内に設置され、かつ駆動板に電気的に接続され、該アンテナモジュールの電球カバーに向く表面は光源板の電球カバーに向く表面より高くない。スマート電球は、アンテナモジュールの電球カバーに向く表面が光源板の電球カバーに向く表面より高くなく、光源板の発光経路を遮断せず、光スポットの均一性を保証する。【選択図】図２
0003232164.tif 000002
【実用新案登録請求の範囲】
【請求項１】
第一放熱部材、
前記第一放熱部材の一端に設置される電球カバー、
前記第一放熱部材の他端に設置される口金アセンブリ、
前記第一放熱部材内に設置され、かつ前記第一放熱部材の前記電球カバーに近い一端にカバーする光源板、
前記第一放熱部材内に設置され、かつ前記口金アセンブリ及び前記光源板に電気的に接続される駆動板、及び
前記第一放熱部材内に設置され、前記駆動板と電気的に接続されるアンテナモジュールを備えて、
前記アンテナモジュールの前記電球カバーに向く表面が前記光源板の前記電球カバーに向く表面より高くない
ことを特徴とするスマート電球。
【請求項２】
前記アンテナモジュールは前記駆動板に設置され、前記アンテナモジュールは前記電球カバーに向く表面が前記光源板の前記電球カバーに向くの表面より低い平面板状構造である、又は、
前記アンテナモジュールは前記電球カバーに向く表面が前記光源板の前記電球カバーに向く表面より低いリング棒状構造である
ことを特徴とする請求項１に記載のスマート電球。
【請求項３】
前記光源板の前記アンテナモジュールに対応する位置に貫通孔が開設される
ことを特徴とする請求項２に記載のスマート電球。
【請求項４】
前記アンテナモジュールは基板とアンテナを備え、
前記基板の前記電球カバーに向く表面と前記光源板の前記電球カバーに向く表面とは同じ平面にあり、
前記アンテナは前記基板の前記電球カバーに向く表面に設置され、前記アンテナの突出高さが前記光源板の発光素子の突起高さより低い
ことを特徴とする請求項１に記載のスマート電球。
【請求項５】
前記光源板に前記基板を取り付けるための退避溝が開設され、前記基板は前記退避溝内に嵌設される
ことを特徴とする請求項４に記載のスマート電球。
【請求項６】
前記光源板の前記アンテナの送信端に対応する位置に退避切り欠きが開設され、前記退避切り欠きは前記退避溝に連通する
ことを特徴とする請求項５に記載のスマート電球。
【請求項７】
前記基板に第一入力端子が設置され、前記駆動板に前記第一入力端子に電気的に接続される第一出力端子が設置される
ことを特徴とする請求項４に記載のスマート電球。
【請求項８】
前記スマート電球はさらに第二放熱部材を備え、前記第二放熱部材は、前記駆動板と前記光源板との間に設置され、前記基板と貼り合わせる
ことを特徴とする請求項４に記載のスマート電球。
【請求項９】
第一放熱部材、
前記第一放熱部材の一端に設置される電球カバー、
前記第一放熱部材の他端に設置される口金アセンブリ、
前記第一放熱部材内に設置され、かつ前記第一放熱部材の前記電球カバーに近い一端にカバーする光源板、
前記第一放熱部材内に設置され、かつ前記口金アセンブリ及び前記光源板に電気的に接続される駆動板、及び
前記第一放熱部材内に設置され、前記駆動板と電気的に接続されるアンテナモジュールを備えて、
前記アンテナモジュールの前記電球カバーに向く表面が前記光源板の前記電球カバーに向く表面より高くて、かつ前記アンテナモジュールは前記光源板に垂直に設置される
ことを特徴とするスマート電球。
【請求項１０】
前記スマート電球はさらに接地部を備え、前記接地部は前記駆動板に設置され、前記第一放熱部材と接触することにより導通する
ことを特徴とする請求項１〜９のいずれか一つに記載のスマート電球。
【請求項１１】
前記スマート電球はさらに白色光発光素子とカラー光発光素子を備え、
前記白色光発光素子は、前記光源板に設置され、第一チップ及び第二チップを含み、前記第一チップから発した光が前記第二チップから発した光と混合され、
前記カラー光発光素子は、前記光源板に設置され、第三チップ、第四チップ及び第五チップを含み、前記第三チップから発した光、前記第四チップから発した光及び前記第五チップから発した光の三者が混合される
ことを特徴とする請求項１０に記載のスマート電球。
【考案の詳細な説明】
【技術分野】
【０００１】
本実用新案は照明器具に関し、より具体的には、スマート電球に関する。
【背景技術】
【０００２】
ＬＥＤ照明装置は省エネルギー、環境配慮及び高安定性などの利点を有するため、様々な照明分野に広く応用される。スマート技術の発展に伴い、ＬＥＤ照明装置も徐々にスマート化され、それによりユーザーのスマート体験を向上させる。
【０００３】
現在のスマート電球は外部と通信する必要があり、それに伝送効果を高くするために、スマート電球の内部にアンテナを設置する必要があるが、従来のアンテナ構造は一部の光線を遮断し、特にアンテナの面積が大きい場合、光スポットの影を引き起こす。
【考案の概要】
【考案が解決しようとする課題】
【０００４】
本実用新案の目的はスマート電球を提供し、従来のスマート電球においてアンテナにより一部の光線が遮断されることで光スポットの影が生成されるという技術的課題を解決することである。
【課題を解決するための手段】
【０００５】
上記目的を達成するために、本実用新案が採用する技術手段は以下のとおりである。
第一放熱部材、
前記第一放熱部材の一端に設置される電球カバー、
前記第一放熱部材の他端に設置される口金アセンブリ、
前記第一放熱部材内に設置され、かつ前記第一放熱部材の前記電球カバーに近い一端にカバーする光源板、
前記第一放熱部材内に設置され、かつ前記口金アセンブリ及び前記光源板に電気的に接続される駆動板、及び
前記第一放熱部材内に設置され、前記駆動板と電気的に接続されるアンテナモジュールを備えて、
前記アンテナモジュールの前記電球カバーに向く表面が前記光源板の前記電球カバーに向く表面より高くない
ことを特徴とするスマート電球。
【０００６】
従来の技術に比べて、本実用新案のスマート電球の有益な効果は以下のとおりである。アンテナモジュールの電球カバーに向く表面は光源板の電球カバーに向く表面より高くなく、かつアンテナモジュールの上方が電球カバーのみにカバーされるため、通信信号に対する影響が小さい。それに、遮断物がないため、通信信号の異なる角度での制御一致性を保証することができる。そして、光源板を遮断することで一部の光線を遮断することがないため、アンテナモジュールの面積が増大しても、光源板の発光経路を遮断せず、光スポットの均一性を保証し、かつアンテナモジュールの信号伝送レートを保証する。このように、ユーザの体験感がよい。
【０００７】
さらに、前記アンテナモジュールは前記駆動板に設置され、前記アンテナモジュールは前記電球カバーに向く表面が前記光源板の前記電球カバーに向くの表面より低い平面板状構造である、又は、
前記アンテナモジュールは前記電球カバーに向く表面が前記光源板の前記電球カバーに向く表面より低いリング棒状構造である。
【０００８】
さらに、前記光源板の前記アンテナモジュールに対応する位置に貫通孔が開設される。
さらに、前記アンテナモジュールは基板とアンテナを備え、
前記基板の前記電球カバーに向く表面と前記光源板の前記電球カバーに向く表面とは同じ平面にあり、
前記アンテナは前記基板の前記電球カバーに向く表面に設置され、前記アンテナの突出高さが前記光源板の発光素子の突起高さより低い。
【０００９】
さらに、前記光源板に前記基板を取り付けるための退避溝が開設され、前記基板は前記退避溝内に嵌設される。
【００１０】
さらに、前記光源板の前記アンテナの送信端に対応する位置に退避切り欠きが開設され、前記退避切り欠きは前記退避溝に連通する。
【００１１】
さらに、前記基板に第一入力端子が設置され、前記駆動板に前記第一入力端子に電気的に接続される第一出力端子が設置される。
【００１２】
さらに、前記スマート電球はさらに第二放熱部材を備え、前記第二放熱部材は、前記駆動板と前記光源板との間に設置され、前記基板と貼り合わせる。
【００１３】
本実用新案は、以下のスマート電球も提供する。
【００１４】
第一放熱部材、
前記第一放熱部材の一端に設置される電球カバー、
前記第一放熱部材の他端に設置される口金アセンブリ、
前記第一放熱部材内に設置され、かつ前記第一放熱部材の前記電球カバーに近い一端にカバーする光源板、
前記第一放熱部材内に設置され、かつ前記口金アセンブリ及び前記光源板に電気的に接続される駆動板、及び
前記第一放熱部材内に設置され、前記駆動板と電気的に接続されるアンテナモジュールを備えて、
前記アンテナモジュールの前記電球カバーに向く表面が前記光源板の前記電球カバーに向く表面より高くて、かつ前記アンテナモジュールは前記光源板に垂直に設置される
ことを特徴とするスマート電球。
【００１５】
従来の技術に比べて、本実用新案のスマート電球の有益な効果は以下のとおりである。アンテナモジュールを光源板に垂直に設置することにより、一方では、アンテナモジュールの光源板への投影面積が小さく、該アンテナモジュールの光源板に対する遮断面積が小さいため、該アンテナモジュールが光源板を遮断することにより一部の光線が遮断されることを回避する。他方、該アンテナモジュールの電球カバーに向く表面は光源板の電球カバーに向く表面より高く、それにより該アンテナモジュールの一部又は全部が光源板から伸び出し、アンテナモジュールの信号伝送がよい。
【００１６】
さらに、前記スマート電球はさらに接地部を備え、前記接地部は前記駆動板に設置され、前記第一放熱部材と接触することにより導通する。
【００１７】
さらに、前記スマート電球はさらに白色光発光素子とカラー光発光素子を備え、
前記白色光発光素子は、前記光源板に設置され、第一チップ及び第二チップを含み、前記第一チップから発した光が前記第二チップから発した光と混合され、
前記カラー光発光素子は、前記光源板に設置され、第三チップ、第四チップ及び第五チップを含み、前記第三チップから発した光、前記第四チップから発した光及び前記第五チップから発した光の三者が混合される。
【００１８】
本実用新案の実施例における技術手段をより明確に説明するために、以下に実施例や従来技術の説明に必要な図面を簡単に説明する。明らかに、以下に記載する図面は本実用新案のいくつかの実施例に過ぎず、当業者であれば、創造的な労力を要することなく、これらの図面に基づいて他の図面を得ることができる。
【図面の簡単な説明】
【００１９】
【図１】本実用新案の実施例が提供するスマート電球の立体構造概略図である。
【図２】本実用新案の第一実施例が提供するスマート電球の分解構造概略図である。
【図３】本実用新案の第一実施例が提供するスマート電球の断面構造概略図である。
【図４】本実用新案の第二実施例が提供するスマート電球の分解構造概略図である。
【図５】本実用新案の第二実施例が提供するスマート電球の断面構造概略図である。
【図６】本実用新案の第三実施例が提供するスマート電球の分解構造概略図である。
【図７】本実用新案の第三実施例が提供する光源板及びアンテナモジュールの立体構造概略図である。
【図８】本実用新案の第三実施例が提供するスマート電球の断面構造概略図である。
【図９】本実用新案の第四実施例が提供するスマート電球の分解構造概略図である。
【図１０】本実用新案の第四実施例が提供するスマート電球の断面構造概略図である。
【図１１】本実用新案の実施例が提供するスマート電球の駆動関係の概略図である。
【考案を実施するための形態】
【００２０】
本実用新案の解決しようとする技術的課題、技術手段および有益な効果をより明確にするために、以下に図面および実施例を参照して、本実用新案をさらに詳細に説明する。なお、ここに記載された具体的な実施例は、あくまでも本実用新案を解釈するためのものであり、本実用新案を限定するものではない。
【００２１】
なお、部材が他の部材に「固定される」または「設置される」と称される場合には、他の部材上に直接または間接的に配置されていてもよい。部材が他の部材に「接続される」と記載されている場合、他の部材に直接的または間接的に接続されていてもよい。なお、用語の「上」、「下」、「左」、「右」、「前」、「後」、「鉛直」、「水平」、「頂」、「底」、「内」、「外」等の示す方位や位置関係は、図面に示した方位や位置関係に基づくものであり、説明を容易にするためのものであり、本技術手段を限定するものと解されるべきではない。また、「第一」、「第二」という用語は、単に説明のためのものであり、相対的な重要性または指示された技術的特徴の数を明示的又は暗示的に示すものであると理解すべきではない。「複数」とは、特に明示した場合を除き、二つ又は二以上であることを意味する。
【００２２】
本実用新案の技術手段を説明するために、以下に具体的な図面や実施例を参照して詳細に説明する。
【００２３】
図１〜図３に示すとおり、本実用新案の実施例のスマート電球は第一放熱部材１、電球カバー２、口金アセンブリ３、光源板４、駆動板５及びアンテナモジュール６を含む。ここで、第一放熱部材１の両端は開口を有し、電球カバー２は第一放熱部材１の開口の大きい一端にカバーし、口金アセンブリ３は第一放熱部材１の開口の小さい一端に設置される。光源板４は第一放熱部材１内に設置され、かつ該光源板４は第一放熱部材１の電球カバー２に近い一端にカバーする。駆動板５は第一放熱部材１内に設置され、かつ口金アセンブリ３と光源板４との間に位置し、駆動板５の一端は口金アセンブリ３に電気的に接続され、駆動板５の他端は光源板４に電気的に接続される。
【００２４】
さらに図５及び図８に示すとおり、アンテナモジュール６は第一放熱部材１内に設置され、該アンテナモジュール６は駆動板５に電気的に接続され、該アンテナモジュール６の電球カバー２に向く表面は光源板４の電球カバー２に向く表面より高くなく、すなわちアンテナモジュール６の電球カバー２に向く表面は光源板４の電球カバー２に向く表面より低く、又はアンテナモジュール６の電球カバー２に向く表面と光源板４の電球カバー２に向く表面とは同じ平面にある。
【００２５】
本実用新案の実施例のスマート電球には、アンテナモジュール６の電球カバー２に向く表面は光源板４の電球カバー２に向く表面より高くなく、かつアンテナモジュール６の上方が電球カバー２のみにカバーされるため、通信信号に対する影響が小さい。それに、遮断物がないため、通信信号の異なる角度での制御一致性を保証することができる。そして、光源板４を遮断することで一部の光線を遮断することがないため、アンテナモジュール６の面積が増大しても、光源板４の発光経路を遮断せず、光スポットの均一性を保証し、かつアンテナモジュール６の信号伝送レートを保証する。このように、ユーザの体験感がよい。
【００２６】
以下に異なるアンテナモジュール６に基づいて以下の実施例を提供する。
【００２７】
実施例１
具体的には図２及び図３に示すとおり、アンテナモジュール６は駆動板５に設置され、かつ該アンテナモジュール６は平面板状構造であり、該平面板状構造の電球カバー２に向く表面は光源板４の電球カバー２に向く表面より低く、それによりアンテナ６２が光源板４から伸び出し、光源板４の発光経路を遮断し、光学効果に影響を与えることを防止する。他の構造のアンテナモジュール６に比べて、平面板状構造を採用したアンテナモジュール６は取り付けられた後に安定する。具体的には、該平面板状構造は駆動板５の側面に設置され、該平面板状構造は駆動板５に直交して挿着される。
【００２８】
実施例２
図４及び図５に示すとおり、該アンテナモジュール６は駆動板５に設置され、かつ該アンテナモジュール６はリング棒状構造であり、該リング棒状構造の電球カバー２に向く表面は光源板４の電球カバー２に向く表面より低い。ここで、信号の出力量を増加するように、該リング棒状構造の周回面積はできるだけ大きくする。他の構造のアンテナモジュール６に比べて、リング棒状構造を採用したアンテナモジュール６はニーズに応じて巻き取りを行うことができ、構造が簡単である。具体的なニーズに応じて選択することができる。
【００２９】
本実用新案の一つの実施例において、具体的には図２及び図４に示すとおり、該スマート電球はさらにスマート集積チップ６３を含み、該スマート集積チップ６３は駆動板５の側面に設置される。具体的には、該スマート集積チップ６３は駆動板５の側面に直交して挿着される。該スマート集積チップ６３とアンテナモジュール６は駆動板５の給電線により電気的に接続され、該スマート集積チップ６３はアンテナモジュール６から収集された誘導信号を処理し、かつ制御信号に基づいて駆動板５を制御し、光源板４の発光を制御する。この実施例は上記実施例１及び実施例２のいずれの実施例におけるアンテナモジュール６に適用される。
【００３０】
本実用新案の一つの実施例において、具体的に図２及び図４を参照し、光源板４のアンテナモジュール６に対応する位置に貫通孔４３が開設される。実施例１におけるアンテナモジュール６に対して、該貫通孔４３の横断面積はアンテナモジュール６の横断面積より大きい。実施例２におけるアンテナモジュール６に対して、該貫通孔４３の横断面積はアンテナモジュール６の縦断面積より大きい。すなわち、光源板４にアンテナモジュール６の面積よりはるかに大きい貫通孔４３が開設され、アンテナモジュール６からの信号が光源板４により遮断されることを防止し、それによりアンテナ６２の信号伝送レートを保証する。
【００３１】
実施例３
具体的には図６〜図８に示すとおり、該アンテナモジュール６の電球カバー２に向く表面と光源板４の電球カバー２に向く表面とは同じ平面にある。このアンテナモジュール６は、基板６１と、アンテナ６２とを備えている。ここで、基板６１の電球カバー２に向く表面と光源板４の電球カバー２に向く表面とは同じ平面にある。アンテナ６２は基板６１の電球カバー２に向く表面に設置され、該アンテナ６２の突出高さは光源板４の発光素子の突出高さより低い。他の位置のアンテナモジュール６に比べて、アンテナモジュール６を光源板４と同一平面に設置するのは、組み立てる時、基板６１がちょうど光源板４に取り付けられ、組み立てやすく、かつ構造がコンパクトである。基板６１に治具又は接続端子を新たに設置して光源板４に接続する必要がなく、プロセス開発コストを節約する。
【００３２】
なお、本実施例において、アンテナ６２は条状、曲折した形状又は環状に基板６１に設置されてもよい。もちろん、アンテナ６２の電球カバー２に向く表面と光源板４の電球カバー２に向く表面とが同じ平面にあることを満たせば、アンテナ６２の形状は他の形状であってもよい。
【００３３】
本実用新案の一つの実施例において、具体的には図７に示すとおり、該スマート電球はさらにスマート集積チップ６３を含み、実施例１及び実施例２との違いは、該スマート集積チップ６３が基板６１に設置されることである。該スマート集積チップ６３とアンテナモジュール６は基板６１の給電線により電気的に接続され、該スマート集積チップ６３はアンテナモジュール６から収集された誘導信号を処理し、かつ制御信号に基づいて駆動板５を制御し、光源板４の発光を制御する。この実施例は、上記実施例３のアンテナモジュール６に適用される。
【００３４】
本実施例において、さらに図７を参照し、該光源板４に基板６１を取り付けるための退避溝４１が開設され、基板６１が該退避溝４１内に嵌設される。基板６１を退避溝４１内に嵌設することにより、一方では取付空間を節約し、他方ではアンテナ６２が光源板４の発光素子を遮断することで光スポットの均一性に影響を与えることを回避する。この実施例は、実施例３と結合することができる。
【００３５】
ここで、本実施例において、光源板４は基板６１を完全に包むものではない。光源板４にはさらにアンテナ６２の送信端に対応する退避切り欠き４２が開設され、該退避切り欠き４２が退避溝４１に連通する。アンテナ６２の送信端から送信された信号が光源板４により遮断されることを防止し、信号の受信及び送信が干渉されることがなく、さらにアンテナ６２の信号伝送レートを保証する。
【００３６】
本実施例において、さらに６及び図７を参照し、基板６１と駆動板５との間は端子により電気的に接続される。基板６１に第一入力端子６１１が設置され、駆動板５に第一入力端子６１１に電気的に接続された第一出力端子５１が設置される。具体的には、該第一入力端子６１１は雌端子であり、第一出力端子５１は雄端子であり、雄端子は雌端子に挿入されて雌端子に電気的に接続され、それにより基板６１は駆動板５に電気的に接続される。もちろん、両者が電気的に接続されることを保証できれば、第一入力端子６１１は雄端子であって、第一出力端子５１は雌端子であってもよい。
【００３７】
本実施例において、具体的には図６に示すとおり、スマート電球はさらに第二放熱部材７を含み、該第二放熱部材７は駆動板５と光源板４との間に設置される。この第２放熱部材７は、基板６１に貼り合わされている。アンテナ６２には温度条件があるため、８５℃未満又は１０５℃未満でなければならず、かつ基板６１が光源板４内に嵌設され、光源板４の発熱が基板６１に伝達され、それによりアンテナ６２が昇温して発熱し、アンテナ６２の使用効果に影響を与える。第二放熱部材７はプレス成型したアルミニウム部品であり、第一放熱部材１にカバーし、かつ該第二放熱部材７は基板６１に貼り付けられ、一部の熱量を伝達することができ、アンテナ６２の昇温発熱を回避する。
【００３８】
実施例４
本実用新案の一つの実施例において、図９及び図１０に示すように、本実施例におけるアンテナモジュール６の設置位置は実施例１、実施例２及び実施例３のアンテナモジュール６の設置位置と異なる。該アンテナモジュール６の電球カバー２に向く表面は光源板４の電球カバー２に向く表面より高く、すなわちアンテナモジュール６の一部の構造又はアンテナモジュール６の全構造は光源板４から伸び出し、かつ該アンテナモジュール６は光源板４に垂直に設置される。
【００３９】
なお、従来のアンテナモジュール６は光源板４から伸び出しかつ該アンテナモジュール６は光源板４と平行に設置されるため、アンテナモジュール６の光源板４への投影面積が大きく、それにより一部の光線を遮断する。本実施例はアンテナモジュール６を光源板４に垂直に設置することにより、一方では、アンテナモジュール６の光源板４への投影面積が小さいため、該アンテナモジュール６の光源板４に対する遮断面積が小さく、該アンテナモジュール６が光源板４を遮断することにより一部の光線が遮断されることを回避する。他方で、該アンテナモジュール６の電球カバー２に向く表面は光源板４の電球カバー２に向く表面より高いため、それにより該アンテナモジュール６の一部又は全部が光源板４から伸び出し、それによりアンテナモジュール６の伝送信号が良好である。
【００４０】
具体的には、本実施例において、該アンテナモジュール６に光反射層が塗布され、アンテナモジュール６に照射された光線を反射することができ、光線の利用率を向上させることができる。
【００４１】
本実用新案の一つの実施例において、該アンテナモジュール６は平面板状構造であり、該スマート電球はさらにスマート集積チップ６３を含み、該スマート集積チップ６３は駆動板５の側面に設置される。具体的には、該スマート集積チップ６３は駆動板５の側面に直交して挿着され、該スマート集積チップ６３とアンテナモジュール６は一体成形構造であり、それにより該スマート集積チップ６３はアンテナモジュール６に電気的に接続され、該スマート集積チップ６３はアンテナモジュール６から収集された誘導信号を処理し、かつ制御信号に基づいて駆動板５を制御し、光源板４の発光を制御する。
【００４２】
本実用新案の一つの実施例において、光源板４のアンテナモジュール６に対応する位置にアンテナモジュール６が伸び出すための伸び出し孔４５が開設される。実施例４におけるアンテナモジュール６に対して、該伸び出し孔４５の横断面積はアンテナモジュール６の横断面積以上であり、アンテナモジュール６が光源板４から伸び出せることになる。
【００４３】
本実用新案の一つの実施例において、さらに図２、図４、図６及び図９に示すとおり、該スマート電球はさらに接地部５２を含み、該接地部５２が駆動板５に設置され、該接地部５２が第一放熱部材１と接触することにより導通し、すなわち駆動板５のグランドは接地部５２を介して第一放熱部材１に接続され、いくつかの干渉信号を除去することを助けることにより、アンテナ６２の信号がより強くなり、光源板４により遮断された一部の信号を補完する。この実施例は、実施例１、実施例２、実施例３又は実施例４のいずれにも適用される。
【００４４】
実施例１、実施例２及び実施例４におけるアンテナモジュール６は駆動板５上に設置される。従来の設計と比べて、一方、該接地部５２はアンテナモジュール６のグランドと第一放熱部材１を統一し、第一放熱部材１における金属構造と組み合わせ、第一放熱部材１をアンテナモジュール６の一部とすることができ、アンテナモジュール６の送信及び受信能力を強化することができ、アンテナモジュール６の通信性能を大幅に改善する。他方では、アンテナモジュール６のグランドを第一放熱部材１に接続することにより、電球全体の静電回路がよくなり、静電はアンテナモジュール６を介して接地部５２に入り、さらに接地部５２から第一放熱部材１に至る。一般的には、これは、いくつかの干渉信号を除去することに役立ち、それによりアンテナ６２の信号が強くなり、光源板４により遮断された一部の信号を補完する。
【００４５】
実施例３のアンテナモジュール６に対して、該アンテナモジュール６は第一入力端子６１１により駆動板５に電気的に接続され、それによりアンテナモジュール６のグランドは駆動板５の接地部５２により第一放熱部材１と統一され、第一放熱部材１における金属構造と組み合わせ、第一放熱部材１をアンテナモジュール６の一部とすることができ、アンテナモジュール６の送信及び受信能力を向上させることができ、アンテナモジュール６の通信性能を大幅に改善する。他方では、アンテナモジュール６のグランドを第一放熱部材１に接続することにより、電球全体の静電回路がよくなり、静電はアンテナモジュール６を介して駆動板５に入り、さらに接地部５２に入り、最後に接地部５２から第一放熱部材１に至る。
【００４６】
具体的には、本実施例において、該接地部５２は弾性片である。該弾性片の一端は駆動板５に接続され、該弾性片の他端は第一放熱部材１と締り嵌めされる。該弾性片の形状は直条状、弧状又は屈曲状である。具体的なニーズに応じて選択することができる。
【００４７】
本実用新案の一つの実施例において、さらに図２、図４、図６、図７及び図９を参照し、光源板４にツーインワン白色光光源及びスリーインワンカラー光光源が分布される。ここで、該スマート電球はさらに白色光発光素子８１及びカラー光発光素子８２を含む。白色光発光素子８１及びカラー光発光素子８２は、いずれも光源板４に設けられている。白色光発光素子８１は第一チップ８１１及び第二チップ８１２を含み、第一チップ８１１が発した光は第二チップ８１２が発した光と混合し、それにより白色光を発することができる。カラー光発光素子８２は第三チップ８２１、第四チップ８２２及び第五チップ８２３を含み、第三チップ８２１が発した光、第四チップ８２２が発した光及び第五チップ８２３が発した光の三者は混合する。
【００４８】
具体的には、本実施例において、光源板４に第二入力端子４４が設置され、駆動板５に第二入力端子４４と電気的に接続された第二出力端子５３が設置される。ここで、第二入力端子４４は雌端子であり、第二出力端子５３は雄端子であり、第二出力端子５３は第二入力端子４４に挿設されて第二入力端子４４に電気的に接続される。もちろん、他の実施例において、第二入力端子４４は雄端子であり、第二出力端子５３は雌端子であってもよい。ここで、第二入力端子４４及び第二出力端子５３はいずれも８ＰＩＮの端子を採用し、光源板４に給電しかつ駆動板５のＰＭＷ信号を制御し、それにより白色光発光素子８１は異なる色温度の白色光を出力することができ、さらにカラー光発光素子８２は異なる色のカラー光を出力することができる。
【００４９】
本実用新案の一つの実施例において、具体的には図２、図４及び図６に示すとおり、第一放熱部材１はアルミニウムにプラスチックを套嵌させる構造であり、該第一放熱部材１は外から内へ順に設置された絶縁層１１及び放熱層１２を含み、ここで、光源板４に近い側は内である。好ましくは、放熱層１２はアルミニウム材料で製造され、それにより放熱層１２は高い放熱性能を有する。アルミニウム材料で製造された放熱層１２の導電性能も比較的高いため、人の手のタッチにより感電することを防止するために、放熱層１２の外にさらにプラスチックで製造された絶縁層１１が嵌設される。
【００５０】
アンテナモジュール６の上方は電球カバー２のみにカバーされるため、金属材料はアンテナモジュール６から送信された信号を遮断しやすい。したがって、該電球カバー２は非金属であり、白色光発光素子８１及びカラー光発光素子８２の発光を容易に出せるために、電球カバー２は透明な材質（例えばＰＶＣ（Ｐｏｌｙｖｉｎｙｌ  ｃｈｌｏｒｉｄｅ、ポリ塩化ビニル）又はＰＥＴ（Ｐｏｌｙｅｔｈｙｌｅｎｅ  ｔｅｒｅｐｈｔｈａｌａｔｅ、ポリエチレンテレフタレート）などの非金属材質）で製造される。非金属材料で製造された電球カバー２を採用することにより、アンテナ６２の信号伝送レートを保証する。
【００５１】
電球カバー２は第一放熱部材１の絶縁層１１に係止され、それにより駆動板５、光源板４及びアンテナモジュール６を保護する。具体的には、さらに図３、図５及び図８に示すとおり、電球カバー２は殻部２１及び殻部２１から第一放熱部材１に向かって延伸する係止部２２を含み、絶縁層１１にはその周方向に沿って係止部２２と係合する係合部１３が設けられる。
【００５２】
駆動板５は第一放熱部材１に係止され、駆動板５は弾性片５４により口金アセンブリ３に電気的に接続され、該弾性片５４の一端は駆動板５に固定接続され、弾性片５４の他端は口金アセンブリ３に固定接続される。
【００５３】
本実用新案の一つの実施例において、口金アセンブリ３は口金３１及びピン３２を含む。ここで、口金３１は第一放熱部材１に螺着され、ピン３２は口金３１内に挿入され、該ピン３２は外部電源と電気的に接続するために用いられる。
【００５４】
実施例１、実施例２及び実施例４におけるスマート電球の具体的な組立過程は以下のとおりである。
【００５５】
まず、放熱層１２を絶縁層１１に入れ、次に駆動板５を第一放熱部材１の係合部１３内に係止し、光源板４を取り付けた後、ネジ９などの固定部材により光源板４を第一放熱部材１内に固定する。電球カバー２を第一放熱部材１の係合部１３に係止し、さらに接着剤により電球カバー２と第一放熱部材１を固定接続する。治具により口金３１と第一放熱部材１をリベット接合し、さらにピン３２をリベット締めする。
【００５６】
以上の説明に基づいて、具体的には図１１に示すとおり、白色光発光素子８１及びカラー光発光素子８２に電力を供給する経路は以下のとおりである。外部電源の交流電力はピン３２を介して駆動板５に到達し、次に第二出力端子５３及び第二入力端子４４により光源板４に提供される。
【００５７】
アンテナ６２に電力を供給する経路は以下のとおりである。外部電源の交流電力は口金３１のピン３２により駆動板５に伝達され、駆動板５の給電線によりそれぞれアンテナモジュール６とスマート集積チップ６３に伝達される。
【００５８】
スマート集積チップ６３は白色光発光素子８１及びカラー光発光素子８２に対する制御経路は以下のとおりである。アンテナモジュール６は制御信号を受信し、制御信号をスマート集積チップ６３に伝送し、スマート集積チップ６３は制御信号に基づいて駆動板５を制御し、白色光発光素子８１及びカラー光発光素子８２を発光させるよう駆動する。
【００５９】
実施例３におけるスマート電球の具体的な取付過程は以下のとおりである。
【００６０】
実施例１、実施例２及び実施例４との相違点は実施例３のアンテナモジュール６が光源板４に嵌設され、かつ光源板４と駆動板５との間にさらに第二放熱部材７が設けられることである。
【００６１】
まず、放熱層１２を絶縁層１１に入れ、次に駆動板５を第一放熱部材１の係合部１３内に係止し、第二放熱部材７を装入し、さらに基板６１が嵌設された光源板４を第二放熱部材７に配置し、ネジ９などの固定部材により光源板４と第二放熱部材７を第一放熱部材１内に固定する。その後に電球カバー２を第一放熱部材１の係合部１３に係止し、さらに接着剤により電球カバー２と第一放熱部材１を固定接続する。最後に治具により口金アセンブリ３と第一放熱部材１をリベット接合し、次にピン３２をリベット締めする。
【００６２】
以上の説明に基づいて、具体的には図１１に示すとおり、白色光発光素子８１及びカラー光発光素子８２に電力を供給する経路は以下のとおりである。外部電源の交流電力はピン３２を介して駆動板５に到達し、次に第二出力端子５３及び第二入力端子４４により光源板４に提供される。
【００６３】
アンテナ６２に電力を供給する経路は以下のとおりである。外部電源の交流電力は口金３１のピン３２により駆動板５に伝達し、第一出力端子５１及び第一入力端子６１１によりそれぞれアンテナ６２及びスマート集積チップ６３に伝達される。
【００６４】
スマート集積チップ６３は白色光発光素子８１及びカラー光発光素子８２に対する制御経路は以下のとおりである。アンテナ６２は制御信号を受信し、制御信号をスマート集積チップ６３に伝送し、スマート集積チップ６３は制御信号に基づいて駆動板５を制御し、白色光発光素子８１及びカラー光発光素子８２を発光させるよう駆動する。
【００６５】
以上は本実用新案の好ましい実施例に過ぎず、本実用新案を制限するものではなく、本実用新案の精神及び原則内で行われたいかなる修正、同等置換及び改善などは、いずれも本実用新案の保護範囲内に含まれるべきである。
【符号の説明】
【００６６】
１−第一放熱部材、１１−絶縁層、１２−放熱層、１３−係合部、２−電球カバー、２１−殻部、２２−係止部、３−口金アセンブリ、３１−口金、３２−ピン、４−光源板、４１−退避溝、４２−退避切り欠き、４３−貫通孔、４４−第二入力端子、４５−伸び出し孔、５−駆動板、５１−第一出力端子、５２−接地部、５３−第二出力端子、５４−弾性片、６−アンテナモジュール、６１−基板、６１１−第一入力端子、６２−アンテナ、６３−スマート集積チップ、７−第二放熱部材、８１−白色光発光素子、８１１−第一チップ、８１２−第二チップ、８２−カラー光発光素子、８２１−第三チップ、８２２−第四チップ、８２３−第五チップ、９−ねじ。
【図１】
0003232164.tif 000003
【図２】
0003232164.tif 000004
【図３】
0003232164.tif 000005
【図４】
0003232164.tif 000006
【図５】
0003232164.tif 000007
【図６】
0003232164.tif 000008
【図７】
0003232164.tif 000009
【図８】
0003232164.tif 000010
【図９】
0003232164.tif 000011
【図１０】
0003232164.tif 000012
【図１１】
0003232164.tif 000013